(57)【特許請求の範囲】
【請求項１】
後縁にブックの抜け止め部を有し、かつ対向する両側壁のブック挿入側前縁の少なくとも片方がブックの綴じ代の長さ短くなっている欠落部を有する筒状の保持部材にブックを、上記ブックの表裏表紙の少なくとも片方を除くか、また少なくとも片方の表裏表紙と重なる綴じ込み紙の一部を除くか或いは綴じ込み紙間に上記欠落部を有する側壁が介在するように挿入したのち、上記保持部材の露出面の案内部材により案内させて備え部材を装備すると共に、この備え部材或いは上記保持部材のストッパを上記ブックの背表紙の表面に位置させ、上記案内部材或いは保持部材側から上記備え部材が離脱しないように錠装置によりロックして、陳列時の上記保持部材に対するブックの抜き取りを上記抜け止め部及びストッパにより阻止したことを特徴とする陳列ブックの立ち読み防止方法。
【請求項２】
前記案内部材、保持部材、備え部材、ストッパのいずれかに盗難防止タグを設けたことを特徴とする請求項１に記載の陳列ブックの立ち読み防止方法。
【請求項３】
後縁にブックの抜け止め部を有し、かつ対向する両側壁のブック挿入側前縁の少なくとも片方がブックの綴じ代の長さ短くなっている欠落部を有する筒状の保持部材と、この保持部材のブックにより被われない露出面に設けてある案内部材により案内される備え部材と、この備え部材或いは上記保持部材に上記ブックの背表紙の表面に位置するように設けたストッパと、上記案内部材或いは保持部材から上記備え部材の離脱を防止して上記ストッパとブックの背表紙との係合関係を維持するように設けた錠装置とからなる陳列ブックの立ち読み防止装置。
【請求項４】
前記案内部材、保持部材、備え部材、ストッパのいずれかに盗難防止タグを設けたことを特徴とする請求項３に記載の陳列ブックの立ち読み防止装置。
【請求項５】
対向する両側壁のブック挿入側前縁の少なくとも片方がブックの綴じ代の長さ短くなっている欠落部を有する筒状の保持部材にブックを、上記ブックの表裏表紙の少なくとも片方を除くか、また少なくとも片方の表裏表紙と重なる綴じ込み紙の一部を除くか或いは綴じ込み紙間に上記欠落部を有する側壁を介在するように貫通させたのち、上記保持部材の露出面の案内部材により案内させて備え部材を装備すると共に、この備え部材或いは上記保持部材のストッパを上記ブックの背表紙の表面に位置させ、上記案内部材或いは保持部材側から上記備え部材が離脱しないように錠装置によりロックして、陳列時の上記保持部材に対するブックの抜き取りを上記ストッパ及び側壁によって阻止したことを特徴とする陳列ブックの立ち読み防止方法。
【請求項６】
前記案内部材、保持部材、備え部材、ストッパのいずれかに盗難防止タグを設けたことを特徴とする請求項５に記載の陳列ブックの立ち読み防止方法。
【請求項７】
対向する両側壁のブック挿入側前縁の少なくとも片方がブックの綴じ代の長さ短くなっている欠落部を有し、かつ対向する頂壁及び底壁の少なくとも片方の内面に綴じ込み紙間に介在させるブックの抜け止め片を有する筒状の保持部材と、この保持部材のブックにより被われない露出面に設けてある案内部材により案内される備え部材と、この備え部材或いは上記保持部材に上記ブックの背表紙の表面に位置するように設けたストッパと、上記案内部材或いは保持部材から上記備え部材の離脱を防止するように設けた錠装置とからなる陳列ブックの立ち読み防止装置。
【請求項８】
前記案内部材、保持部材、備え部材、ストッパのいずれかに盗難防止タグを設けたことを特徴とする請求項７に記載の陳列ブックの立ち読み防止装置。
【請求項９】
前記保持部材の露出面にブックの露出した表裏表紙の表面を押さえ込む伸縮性のある無端体を取付け手段により取り付けたことを特徴とする請求項３又は７に記載のブックの立ち読み防止装置。
【請求項１０】
裏面が対向する対の抜け止め板と、この一方の上記抜け止め板の裏面から裏面の反対方向に突出する挿入板と、他方の上記抜け止め板の裏面から裏面の反対方向に突出すると共に、上記挿入板の挿入をガイドするガイド筒と、このガイド筒と上記挿入板との対向面一方に設けた係止爪及び他方に伸縮にともない上記係止爪を段階的に係止するように設けた多段の係合部と、上記少なくとも片方の抜け止め板の片端に設けたブックの背表紙の表面に位置するストッパと、上記抜け止め板、挿入板、ガイド筒、ストッパのいずれかに設けた盗難防止タグとからなるブックの盗難防止装置。
【請求項１１】
裏面が対向する対の抜け止め板と、この一方の上記抜け止め板の裏面から裏面の反対方向に突出する挿入板と、他方の上記抜け止め板の裏面から裏面の反対方向に突出すると共に、上記挿入板の挿入をガイドするガイド筒と、このガイド筒と上記挿入板との対向面一方に設けた係止爪及び他方に伸縮にともない上記係止爪を段階的に係止するように設けた多段の係合部と、上記少なくとも片方の抜け止め板の片端に設けたブックの背表紙の表面に位置するストッパと、上記少なくとも片方の抜け止め板の少なくとも片方の側縁に設けたブックの表裏表紙や綴じ込み紙の抱き込み片からなるブックの立ち読み防止装置。
【請求項１２】
前記抜け止め板、挿入板、ガイド筒、ストッパのいずれかに盗難防止タグを設けたことを特徴とする請求項１１に記載のブックの立ち読み防止装置。
【請求項１３】
前記少なくとも片方の抜け止め板の裏面、ガイド筒、挿入板のストッパ側の側縁のいずれかに綴じ込み紙間に介在する食い込み片を設けたことを特徴とする請求項１１に記載のブックの立ち読み防止装置。
【請求項１４】
前記抜け止め板の表面に取付け手段を介し伸縮性のある無端体を取付けたことを特徴とする請求項１１に記載のブックの立ち読み防止装置。
【請求項１５】
裏面が対向する対の抜け止め板と、この両抜け止め板の少なくとも片方の側縁から連なって前記両抜け止め板の裏面の反対方向に突出する一方に挿入板及び他方に挿入板の挿入をガイドするガイド筒と、このガイド筒と上記挿入板との対向面一方に設けた係止爪及び他方に伸縮にともない上記係止爪を段階的に係止するように設けた多段の係合部と、上記抜け止め板の少なくとも片方の端に設けたブックの背表紙の表面に位置するストッパと、上記抜け止め板、挿入板、ガイド筒、ストッパのいずれかに設けた盗難防止タグとからなるブックの盗難防止装置。
【請求項１６】
前記両抜け止め板の少なくとも片方の裏面、ガイド筒、挿入板のストッパ側の側縁のいずれかに綴じ込み紙間に介在する食い込み片を設けたことを特徴とする請求項１５に記載のブックの盗難防止装置。
【請求項１７】
前記両抜け止め板の片方の表面に取付け手段を介し伸縮性のある無端体を取付けたことを特徴とする請求項１５に記載のブックの盗難防止装置。
【請求項１８】
ブックの背表紙に対し直角な二辺の一辺から綴じ込み紙間にガイド筒を押し込みながら、上記一辺に上記ガイド筒側の抜け止め板を当接し、次いでもう一辺から上記ガイド筒に挿入板を挿入しながら、上記挿入板側の抜け止め板をもう一辺に当接すると共に、上記少なくとも片方の抜け止め板のストッパを背表紙の表面に位置させ、この状況下で挿入板の係止爪をガイド筒の係合部に係止し、陳列時のショップからの持ち出しを、挿入板側やガイド筒のいずれかに設けてある盗難防止タグにより検出するようにしたことを特徴とするブックの陳列方法。
【請求項１９】
ブックの背表紙に対し直角な二辺に頂板、底板を配してガイド筒に挿入板を挿入にしながら、上記二辺に頂板及び底板を当接すると共に、ブックの背表紙の表面にストッパを位置させると共に、この状況下で係止爪と係合部とを係止関係にし、また、綴じ込み紙間に食い込み片を介在させ、陳列時のショップからの持ち出しを挿入板側やガイド筒のいずれかに設けてある盗難防止タグにより検出するようにしたことを特徴とするブックの陳列方法。
【発明の詳細な説明】
【技術分野】
【０００１】
この発明は、ショップに陳列してあるブックの立ち読みや盗難を防止する方法及びその装置に関する。
【背景技術】
【０００２】
ブックは、ショップの棚に並べ、又は陳列台に積み重ねて陳列してある。【０００３】
すると、顧客は、ページを捲って読むことができるので、立ち読みにともない購買欲が低下し、又ページが傷み或いは汚れなどの原因により商品価値がなくなるなどの問題が発生した。【０００４】
そこで、図６８に示すように包装材１０１としての透明な袋やフィルムによりブック１０２を包装して上述の問題を解消している。【０００５】
しかしながら、顧客による包装ずみブックの持ち出しが出来るので、盗難を防止することができない。【０００６】
このため、図６９に示すように包装材１０１による包装ずみブック１０２に盗難防止タグ１０３を具備したものがある。【０００７】
上記の盗難防止タグ１０３は、包装前のブック１０２の綴じ込み紙間に差し込むシート１０４に取付けてあり、盗難防止タグ１０３は、周知のように、例えば固有のＩＤコードをもち、ショップの出入口を通過の際、出入口に設置してある電磁界の発生により共振回路が共振して固有のＩＤコードの発信にともない高周波電磁界を変調させて、ショップからの持ち出しを検出する。【０００８】
しかしながら、立ち読みを防止するためにブックを１冊毎包装するので、著しく手数がかかり、又ブック１０２に盗難防止タグ１０３付のシート１０４を一々差し込むので、著しく手数がかかると共に、大幅な出費になるなどの問題があった。【０００９】
そこで、周囲の開口からケースに商品を収納したのち、ケースのガイド手段により案内してスライダを差し込みながら、差し込み終了にともない係合関係になる係止手段により上記スライダのショップ以外による抜き取りを阻止すると共に、この状況下でスライダのストッパにより上記開口の一部を閉鎖して、ケース内の商品の抜き取りを阻止し、ケース毎商品のショップ外への持ち出しを、上記スライダに設けてあるタグにより検出するようにしたものがある（特許文献１）。【００１０】
また上記以外に、周囲の開口からケースに商品を収納したのち、スライダのスライドにともない揺動体を押え込みながら、揺動体のストッパにより上記開口の一部を閉鎖することで、ケース内の商品の抜き取りを阻止する。勿論、揺動体の押え込みの解除は、ショップ側でロック装置のロックを解除することでできる（特許文献２）。【００１１】
すると、上記のようなケースに商品としてブックを収納することで、陳列時のブックの抜き取りや、立ち読みは勿論のこと、ショップ外への持ち出しによる盗難を防止することができる。【００１２】
【特許文献１】特許第３２３８９２０号公報
【００１３】
【特許文献２】特許第３３９２７７７号公報
【発明の開示】
【発明が解決しようとする課題】
【００１４】
ところで、特許文献１及び２の盗難防止ケースをブック用に転用しようとしても、ブックの表表紙と裏表紙との間の厚みがケースを構成する収納用開口の両側の側壁間の内寸よりも大きいと、開口からケースにブックを収納（挿入）することができない。【００１５】
このため、ブックの厚みに制約を受ける問題があった。【００１６】
かりにブックの厚みが上述の内寸よりも大きくて、表裏表紙の少なくとも片方と余分な厚みに見合う綴じ込み紙を側壁の表面に露出させて挿入することで、ケースにブックを収納することができる。【００１７】
しかしながら、スライダを押し込んで、スライダのストッパにより開口の一部を閉鎖し、スライダのスライドにより揺動体を押し下げながら、揺動体のストッパにより開口の一部を閉鎖して、商品のブックの抜き取りを阻止しようとしても、ブックにストッパの先が衝突して所定の位置にストッパを到達させることができない。【００１８】
なお、開口の一部を閉鎖するストッパは、スライダの停止位置決めを係止手段により、また揺動体を押え込むスライダの停止位置決めをロック装置により行ったとき、開口の縁にストッパの裏面が接近して定位置になるようにしてある。【００１９】
上記の原因は、ケースの側壁を綴じ込み紙間や表裏表紙と綴じ込み紙間に介在させることで、綴じ代によって側壁の開口の縁がブックの背表紙の手前で停止する。すなわち、ブックの背表紙がケースの開口から外側に位置（突出）して、開口と同一或いは開口の内側にブックの背表紙の表面が収まらないことによる。【００２０】
このため、ケースに対しブックの厚みに制約を受ける問題があった。【００２１】
また、ケースの開口に対向する後面を後壁により閉鎖してあるので、ブックの背表紙と表裏表紙の自由端縁との寸法が、ケースの開口と後壁との間の寸法よりも大きい場合、ケースにブックを収納することができない問題もあった。【００２２】
さらに、ブックの丈の寸法は、さまざまである。【００２３】
すると、ブックの丈の寸法に合うケースを用意しなければならない問題が発生する以外に、寸法別の管理に手数がかかり、嵩が大きいために広い格納場所を必要とする問題もあった。【００２４】
そこで、この発明の課題は、上述のような問題を解消することにある。
【課題を解決するための手段】
【００２５】
上記の課題を解決するために、この発明は、後縁にブックの抜け止め部を有し、かつ対向する両側壁のブック挿入側前縁の少なくとも片方がブックの綴じ代の長さ短くなっている欠落部を有する筒状の保持部材にブックを上記ブックの表裏表紙の少なくとも片方を除くか、また少なくとも片方の表裏表紙と重なる綴じ込み紙の一部を除くか或いは綴じ込み紙間に上記欠落部を有する側壁が介在するように挿入したのち、上記保持部材の露出面の案内部材により案内させて備え部材を装備すると共に、この備え部材或いは上記保持部材のストッパを上記ブックの背表紙の表面に位置させ、上記案内部材或いは保持部材側から上記備え部材が離脱しないように錠装置によりロックして、陳列時の上記保持部材に対向するブックの抜き取りを上記抜け止め部及びストッパにより阻止した方法を採用して、保持部材内の綴じ込み紙の捲りを阻止することで立ち読みを防止する。【００２６】
そして、案内部材、保持部材、備え部材、ストッパのいずれかに盗難防止タグを設けた方法を採用して、立ち読みとショップからの持ち出しを検出する。【００２７】
また、後縁にブックの抜け止め部を有し、かつ対向する両側壁のブック挿入側前縁の少なくとも片方がブックの綴じ代の長さ短くなっている欠落部を有する筒状の保持部材と、この保持部材のブックにより被われない露出面に設けてある案内部材により案内される備え部材と、この備え部材或いは上記保持部材に上記ブックの背表紙の表面に位置するように設けたストッパと、上記案内部材或いは保持部材から上記備え部材の離脱を防止して上記ストッパとブックの背表紙との係合関係を維持するように設けた錠装置とからなる構成を採用して、保持部材内の綴じ込み紙の捲りを阻止することで立ち読みを防止する。【００２８】
そして、案内部材、保持部材、備え部材、ストッパのいずれかに盗難防止タグを設けた構成を採用して立ち読みとショップからの持ち出しを検出する。【００２９】
さらに、対向する両側壁のブック挿入側前縁の少なくとも片方がブックの綴じ代の長さ短くなっている欠落部を有する筒状の保持部材にブックを、上記ブックの表裏表紙の少なくとも片方を除くか、また少なくとも片方の表裏表紙と重なる綴じ込み紙の一部を除くか或いは綴じ込み紙間に上記欠落部を有する側壁を介在するように貫通させたのち、上記保持部材の露出面の案内部材により案内させて備え部材を装備すると共に、この備え部材或いは上記保持部材のストッパを上記ブックの背表紙の表面に位置させ、上記案内部材或いは保持部材側から上記備え部材が離脱しないように錠装置によりロックして、陳列時の上記保持部材に対するブックの抜き取りを上記ストッパ及び側壁によって阻止した方法や、対向する両側壁のブック挿入側前縁の少なくとも片方がブックの綴じ代の長さ短くなっている欠落部を有し、かつ対向する頂壁及び底壁の少なくとも片方の内面に綴じ込み紙間に介在させるブックの抜け止め片を有する筒状の保持部材と、この保持部材のブックにより被われない露出面に設けてある案内部材により案内される備え部材と、この備え部材或いは上記保持部材に上記ブックの背表紙の表面に位置するように設けたストッパと、上記保持部材から上記備え部材の離脱を防止するように設けた錠装置とからなる構成を採用して、立ち読みを防止する。【００３０】
そして、案内部材、保持部材、備え部材、ストッパのいずれかに盗難防止タグを設けて、立ち読みを防止し、ショップ外への持ち出しを検出する。【００３１】
また、保持部材の露出面にブックの露出した表裏表紙の表面を押え込む伸縮性のある無端体を取付け手段により取り付けて、保持部材の側壁の外側に露出した表裏表紙の片方或いは両方を無端体により抱き込みながら押え込んで、立ち読みに抵抗感を付与したり、表裏表紙の反りによる見苦しくなることなどをなくする。【００３２】
さらに、裏面が対向する対の抜け止め板と、この一方の上記抜け止め板の裏面から裏面の反対方向に突出する挿入板と、他方の上記抜け止め板の裏面から裏面の反対方向に突出すると共に、上記挿入板の挿入をガイドするガイド筒と、このガイド筒と上記挿入板との対向面一方に設けた係止爪及び他方に伸縮にともない上記係止爪を段階的に係止するように設けた多段の係合部と、上記少なくとも片方の抜け止め板の片端に設けたブックの背表紙の表面に位置するストッパと、上記抜け止め板、挿入板、ガイド筒、ストッパのいずれかに設けた盗難防止タグとからなる構成や、裏面が対向する対の抜け止め板と、この一方の上記抜け止め板の裏面から裏面の反対方向に突出する挿入板と、他方の上記抜け止め板の裏面から裏面の反対方向に突出すると共に、上記挿入板の挿入をガイドするガイド筒と、このガイド筒と上記挿入板との対向面一方に設けた係止爪及び他方に伸縮にともない上記係止爪を段階的に係止するように設けた多段の係合部と、上記少なくとも片方の抜け止め板の片端に設けたブックの背表紙の表面に位置するストッパと、上記少なくとも片方の抜け止め板の少なくとも片方の側縁に設けたブックの表裏表紙や綴じ込み紙の抱き込み片とからなる構成を採用して、ブックの丈の寸法がさまざまであってもブックに盗難防止装置をセットできるようにする。
【発明の効果】
【００３３】
以上のように、この発明の陳列ブックの立ち読み防止、盗難防止方法及びその装置、陳列方法によれば、陳列状況下での保持部材に挿入、貫通させたブックの抜き取りを、抜け止め部とストッパとで、又綴じ込み紙間に介在する保持部材の側壁や抜け止め片とストッパとで防止すると共に、陳列状況下での保持部材の両側壁間に表裏表紙や綴じ込み紙の一部以外や全部を存在（挿入によって）するため、綴じ込み紙の捲りが阻止されて立ち読みができなくなると共に、綴じ込み紙を捲ることができないために読みたいという意欲のため購買欲を高める効果と、ショップからの持ち出しを盗難防止タグによって検出する効果もある。【００３４】
そして、保持部材を構成する両側壁のブック挿入側前縁の少なくとも片方にブックの綴じ込み代の長さ短くなる欠落部を設けてあるので、保持部材にセット（挿入、貫通させて）するブックの表裏表紙の少なくとも片方の内側や、綴じ込み紙間に欠落部を有する側壁を介在することで、ブックの背表紙が保持部材のブックの挿入開口から外方に突出しない。【００３５】
このため、保持部材の開口の一部を閉鎖してブックの抜き取りを阻止するストッパをブックの背表紙の表面に向ける際、背表紙によってストッパを突っ張ることなく、スムーズに定位置にストッパを移動させることができる効果があると共に、欠落部を有する側壁の外側に表裏表紙や綴じ込み紙を露出させるので、ブックの厚みに制約を受けることなく、保持部材にブックをセットすることができる効果もある。【００３６】
また、保持部材にブックを貫通させて、貫通したブックをストッパと抜け止め片とで、保持部材に対するブックの抜き取りを阻止するようにしてあるので、ブックの背表紙と背表紙の反対側との間の寸法の大きい、小さいブックであっても何ら支障なく保持部材にブックをセットすることができる効果もある。【００３７】
さらに、ガイド筒に挿入板を挿入して、挿入板とガイド筒とを係止爪と係合部との係止によって連結することで、対向する対の抜け止め板の対向間隔を自由に調整することができる。【００３８】
このために、ブックの丈の寸法がさまざまであっても抜け止め板の対向間隔の調整範囲内で何ら支障なくブックに盗難防止装置をセットすることができる以外に、セット前に分解状態であるため、ショップでの管理に広い格納場所を必要としない。【００３９】
また、ブックにセットした状態にあっては、ブックの背表紙の表面に位置するストッパや、綴じ込み紙間に食い込んで介在させた食い込み片によって、ブックの一方向のスライドをストッパにより、他方向（引き抜き方向）のスライドを綴じ代に食い込む食い込み片により阻止するので、ブックに対する離脱がない安定した取付け状態を維持すると共に、ショップからの持ち出しを盗難防止タグによって検出する効果もある。【００４０】
さらに、陳列状況下に伸縮性のある無端体によって外側の表裏表紙の片方或いは両方、そして綴じ込み紙を抱き込んで押え込むので、立ち読みの捲りに抵抗感を与え、捲りによる反りなどによる見苦しくなる不都合などがなくなる。【００４１】
また、抜け止め板の裏面の抱き込み片によってブックの片方の表裏表紙や綴じ込み紙を抱き込んであるので、抱き込み片で抱き込んだ表裏表紙や綴じ込み紙の捲りを阻止する。
このため、陳列時の捲り阻止による立ち読みを防止（もう片方の表裏表紙側は、挿入板とガイド筒とで捲りを阻止する）し、この防止により読みたいという意欲のため購買欲を高める効果がある。
【図面の簡単な説明】
【００４２】
【図１】この発明の第１、第２の実施形態を示す分解斜視図
【図２】同側面図
【図３】同上の縦断側面図
【図４】縦断正面図
【図５】同横断平面図
【図６】錠装置の解除を示す縦断側面図
【図７】解除の状態を示す縦断側面図
【図８】解除後のブックの抜き取りを示す縦断側面図
【図９】保持部材の他の例を示す斜視図
【図１０】同上にブックをセットした側面図
【図１１】同上の横断平面図
【図１２】ブックの他のセットした状態を示す横断平面図
【図１３】ストッパの他の例を示す縦断側面図
【図１４】第３、第４の実施形態を示す斜視図
【図１５】同上にブックをセットした縦断側面図
【図１６】同上の横断平面図
【図１７】第５の実施形態を示す斜視図
【図１８】同上の使用状態を示す背面図
【図１９】第６の実施形態を示す分解斜視図
【図２０】ブックにセットした状態の一部切欠側面図
【図２１】同縦断正面図
【図２２】同上の要部を示す縦断拡大正面図
【図２３】同横断拡大平面図
【図２４】面取り部の他の例を示す横断拡大平面図
【図２５】同縦断拡大側面図
【図２６】係合関係の解除を示す縦断側面図
【図２７】他の解除を示す縦断正面図
【図２８】挿入板の側面図
【図２９】セットの他の例を示す側面図
【図３０】第７の実施形態を示す側面図
【図３１】同上の縦断正面図
【図３２】同一部切欠正面図
【図３３】セットの他の例を示す縦断正面図
【図３４】第８の実施形態を示す分解斜視図
【図３５】セットを示す縦断正面図
【図３６】セットを示す横断平面図
【図３７】他のセットを示す横断平面図
【図３８】同横断平面図
【図３９】第９の実施形態を示す斜視図
【図４０】他の例を示す斜視図
【図４１】抱き込み片の他の例を示す分解斜視図
【図４２】同上の使用例を示す側面図
【図４３】抱き込み片の他の例を示す斜視図
【図４４】同上の使用例を示す一部切欠側面図
【図４５】同縦断正面図
【図４６】抱き込み片の他の例を示す一部切欠側面図
【図４７】同上の横断平面図
【図４８】抱き込み片の他の例を示す側面図
【図４９】同上の横断平面図
【図５０】ストッパの他の例を示す斜視図
【図５１】ストッパのドッキングを示す縦断側面図
【図５２】同上の横断平面図
【図５３】他の例のストッパを示す斜視図
【図５４】同斜視図
【図５５】同上の使用例を示す一部切欠側面図
【図５６】同横断平面図
【図５７】ストッパの他の例を示す斜視図
【図５８】同上の使用を示す縦断側面図
【図５９】同上のブックに対するセットを示す一部切欠側面図
【図６０】ストッパの他の例を示す横断平面図
【図６１】ストッパの他の例を示す横断平面図
【図６２】捲り防止の他の例を示す分解斜視図
【図６３】同上の使用例を示す側面図
【図６４】同上の捲りを示す斜視図
【図６５】反転による捲りを示す斜視図
【図６６】抜け止め板と抱き込み片の他の例を示す斜視図
【図６７】同上の使用状態を示す側面図
【図６８】従来例を示す斜視図
【図６９】他の従来例を示す斜視図
【符号の説明】
【００４３】
Ａ    保持部材
Ｂ    ブック
Ｂ’  綴じ代
Ｃ    背表紙
Ｄ    表裏表紙
Ｅ    綴じ込み紙
Ｆ    案内部材
Ｇ    備え部材
Ｈ    錠装置
１    頂壁
２    底壁
３    側壁
４    抜け止め部
５    欠落部
６    ストッパ
７    テーパー部
１１  角筒
１２  挿入路
１３  挿入部材
１４  ガイドレール
１５  スライダ
１６  係止爪
１７  貫孔
１８  突起
１９  突部
２０  貫孔
２１  ヒンジ
２２  孔
２３  突部
２４  解除具
２５  溝
２６  突軸
２７  撮み
２８  摺動体
２９  突部
４１  盗難防止タグ
５１  抜け止め片
６１  取付け手段
６２  無端体
６３  フック
６５  抜け止め板
６６  ストッパ
６７  挿入板
６８  ガイド筒
６９  帯状板
７０  抱き込み部
７１  係止爪
７２  係合部
７３  スリット
７４  面取り部
７５  食い込み片
７６  磁石
７７  鉄片
７８  挿入部
７９  解除帯板
８１  抱き込み片
９１  抜け止め板
９２  抜け止め板
【発明を実施するための最良の形態】
【００４４】
以下、この発明の実施の形態を添付図面に基づいて説明する。【００４５】
この発明の第１の実施形態では、図１から図５に示すように、筒状の保持部材Ａには、ブックＢを挿入する。【００４６】
上記の保持部材Ａは、上下で対向する頂壁１及び底壁２と、左右で対向する対の側壁３、３とで筒状に例えば合成樹脂により成型され、上下で対向する頂壁１と底壁２との対向間隔の寸法は、ブックＢの丈よりも若干大きく、左右で対向する両側壁３、３間の寸法は、ブックＢの厚みより大きく又は小さくなっている。【００４７】
また、保持部材Ａの後縁には、挿入するブックＢの貫通止めの抜け止め部４が設けてある。【００４８】
上記抜け止め部４は、図示の場合、頂壁１及び両側壁３、３の後縁から連なって保持部材Ａの成型の際一体に成型して設けたが、別部品の取り付けなどで設けることもでき、そして設ける位置も保持部材Ａの上部のみに限定されない。【００４９】
さらに、対向する両側壁３、３のブック挿入側前縁の少なくとも片方には、ブックＢの綴じ代Ｂ’の長さ短くなっている欠落部５が設けてある。【００５０】
上記欠落部５は、図示の場合、頂壁１のブックＢの挿入側縁から抜け止め部４に向けて深く欠落させてあり、そして綴じ代Ｂ’に見合う深さとは、後述のストッパ６により筒状保持部材Ａの頂壁１の前縁から下方の開口を閉鎖した際、ストッパ６に対向する挿入ずみブックＢの背表紙Ｃの表面に突き当ることなくスムーズな閉鎖が保障できるようにしてある。【００５１】
すなわち、欠落部５を有する側壁３を、表裏表紙Ｄと綴じ込み紙Ｅとの間或いは綴じ込み紙Ｅの間に介在させて、背表紙Ｃの方向に側壁３を移動させながら食い込ませた際、綴じ代Ｂ’によって側壁３の移動が止まり、移動が止まった状況下で背表紙Ｃの表面にストッパ６が当接或いは近接することにある。【００５２】
そして、側壁３の欠落部５を有する前縁を、図示のように底壁２に向う程側壁３の後縁に向けて傾斜させると共に、前縁にレ字状のテーパー部７を設けておくことで、側壁３の前縁による掬いが容易になり、かつスムーズなすべり移動ができる。【００５３】
なお、保持部材Ａの側壁３や底壁２の不要部分を欠落させ、或いは片方の側壁３の不要部分を切り離してカットすることで、成型する合成樹脂の材料を大幅に節約してコストを低減することができる。【００５４】
上記の欠落部５は、図１から図５に示す場合、片方の側壁３のみに設けて、欠落部５を有する側壁３の外側に表裏表紙Ｄの片方のみ或いは外方の表裏表紙Ｄと綴じ込み紙Ｅの一部を露出させて、保持部材Ａ内にもう片方の表裏表紙Ｄと残る綴じ込み紙Ｅを挿入するようにしたが、限定されず、図９から図１１に示すように、両側壁３、３に欠落部５を設けておくことで、両側壁３、３の外側に表裏表紙Ｄのみ或いは表裏表紙Ｄと綴じ込み紙Ｅの一部を露出させて、保持部材Ａ内に綴じ込み紙Ｅのみを挿入することができる。【００５５】
すると、厚みのあるブックＢの表裏表紙Ｄ側に挿入できない綴じ込み紙Ｅを分散させることができる。【００５６】
勿論、図１２に示すように（図５に示すように同じ）表裏表紙Ｄの片方と綴じ込み紙Ｅを保持部材Ａに挿入することもできる。【００５７】
このようなブックＢの挿入方式を採用することで、保持部材Ａに挿入してある綴じ込み紙Ｅの捲りを阻止されて立ち読み（陳列時）を防止することができると共に、立ち読み防止のため読みたいという意欲のため購買欲を高める効果もある。【００５８】
また、保持部材ＡのブックＢにより被われない表面（図示の場合は、頂壁１の上面に設けたが、底壁２の下面に設けてもよい）に案内部材Ｆを設けて、この案内部材Ｆにより案内される備え部材Ｇを装備すると共に、案内部材Ｆ或いは保持部材Ａから備え部材Ｇの離脱を阻止する錠装置Ｈが設けてある。【００５９】
上記の案内部材Ｆは、例えば図１から図４及び図９、１０に示すように、頂壁１の上側こ角筒１１を設けて、この角筒１１により頂壁１の前縁が開放する挿入路１２を形成して、この挿入路１２に備え部材Ｇとしての挿入部材１３を挿入するようにしたが、限定されない。例えば、挿入方式にかえて図１３に示すように、頂壁１の上面両側縁部に倒立Ｌ形の案内部材Ｆとしてのガイドレール１４を設けて、このガイドレール１４に備え部材Ｇとしてのスライダ１５をスライド自在に係合したスライド方式にしてもよい。【００６０】
上記の錠装置Ｈとしては、例えば図１から図４に示すように、挿入部材１３に挿入路１２への挿入にともない押し戻されるように設けた係止爪１６と、挿入路１２に挿入部材１３の挿入終了にともない係止爪１６に合致すると共に、合致にともない押し戻しの解除された係止爪１６が嵌り込んで係止関係になるように挿入路１２を形成する角筒１１の表裏面を貫通させて設けた係止部としての貫孔１７とで構成する以外に、図１３に示す（例えば特許第３３９２７７７号公報参考）ように、スライダ１５の欠落部５の方向へのスライドにともないスライダ１５の内面の係止部としてのテーパー突起１８により押し戻され、突部１９によりスライダ１５のスライドが停止したとき突起１８により押し戻しが解除されて突起１８に係合関係になるように頂壁１に設けた係止爪１６とで構成したが、限定されない。【００６１】
そして、係止爪１６、貫孔１７、突起１８も直列状に複数並べたが限定されない。【００６２】
なお、係止爪１６は、図示の場合合成樹脂による保持部材Ａや挿入部材１３の成型の際スリット１９’を入れて設けたが、別部品を取り付けてもよい。【００６３】
勿論、スライダ１５には、係合関係（突起１８との）になっている係止爪１６に合致させて表裏面を貫通させて貫孔２０を設けておく。【００６４】
当然、上記の錠装置Ｈの磁吸されない係止爪１６に例えば特願２００５−７８６５号の磁吸される係止爪１６を併設して、係止関係の解除に困難性をもたせるこどもできる。【００６５】
そして錠装置Ｈも上記の方式に限定されず、例えば特許第２９２８４９０号や、実開平６−２８１３４号公報、実用新案登録３０１４４９８号、特許第２７９４４０８号、特開２００２−１２５８１７号公報、特開２００１−８０６６６号公報、特開平１０−２５０７３９号公報、特開平１０−２１１９８１号公報、特開平９−２９０８５６号公報の構成を採用してもよい。【００６６】
また、備え部材Ｇ或いは保持部材Ａには、挿入したブックＢの背表紙Ｃの表面に位置させてブックＢの抜き取りを阻止するストッパ６が設けてある。【００６７】
上記のストッパ６は、図１から図３に示す場合、備え部材Ｇとしての挿入部材１３の挿入方向の反対側にヒンジ２１（図示のピンヒンジにかえてハーフカットのヒンジであってもよい）を介し起状自在に設け、挿入部材１３の挿入にともないヒンジ２１の部分が案内部材Ｆとしての角筒１１に嵌入することでストッパ６を降下方向に揺動させて、挿入ずみブックＢの背表紙Ｃの表面にストッパ６を位置させるようにしたが、限定されず、例えば図１３に示すように、保持部材Ａの頂壁１の孔２２にストッパ６の末端の突部２３をはめ込んで頂壁１に対しストッパ６の末端を支持させると共に、ストッパ６の末端の手前にハーフカットのヒンジ２１を設けておく。【００６８】
そして、スライダ１５を前進させることでスライダ１５により図１３鎖線位置から実線位置にストッパ６を押し込んで、挿入ずみブックＢの背表紙Ｃの表面にストッパ６を位置させるようになっている。【００６９】
勿論、上記の方式に限定されず、例えば特許第３３９２７７７号公報の図１６の方式を採用することもできる。【００７０】
上記錠装置Ｈのショップ側による解除方式は、図６に示すように解除具２４の上面の溝２５に案内部材Ｆを上方から嵌入して、溝２５の底面の突軸２６を角筒１１の各貫孔１７やスライダ１５の各貫孔１７に嵌入して、突軸２６により係止爪１６を押し戻しながら、貫孔１７と係止爪１６と係合関係や、係止爪１６と突起１８との係合関係を解除し、解除した状況下で撮み２７により摺動体２８を引き戻すと、摺動体２８の突部２９がストッパ６の突部１９に引っかかって挿入部材１３を脱出方向に（図７に示すように）スライドさせながら、ストッパ６が背表紙Ｃから離反する（図１３に示す場合、係合関係の解除下で、ブックＢと共に保持部材Ａを把持してスライドさせるとよい）。【００７１】
すると、図８に示すようにストッパ６を引き上げて、ストッパ６と背表紙Ｃとの引っかかりをなくすると共に、この状況下で保持部材ＡからブックＢを抜き取る。【００７２】
以上のように、ブックＢの陳列に際し、保持部材ＡにブックＢを挿入してセットすることで、保持部材Ａに対するブックＢの抜き取りを抜け止め部４とストッパ６とで阻止される。【００７３】
挿入したブックＢの表裏表紙Ｄのみ、或いは表裏表紙Ｄと一部の綴じ込み紙Ｅを欠落部５を有する側壁３の外側に位置させる（この位置させる部分は、図４及び図５に示す片方の側壁３の部分のみ、或いは図１１に示す両方の側壁３、３の部分になる選択による）ことができるので保持部材Ａに挿入してある綴じ込み紙Ｅの捲りを阻止すると共に、立ち読み防止のため読みたいという意欲のため購買欲を高める効果もある。【００７４】
このため、陳列状況下でのブックＢの立ち読みを防止し、立ち読み防止にともない読みたいという意欲により購買欲を高める。【００７５】
勿論、立ち読み防止にともない汚れや傷みをなくすることもできる。【００７６】
この発明の第２の実施形態では、第１の実施形態の案内部材Ｆ、保持部材Ａ、備え部材Ｇ、ストッパ６のいずれかに盗難防止タグ４１が設けてある。【００７７】
上記のタグ４１は、図示の場合図３に示すように備え部材Ｇに設けたが、限定されず、保持部材Ａの例えば側壁３などの内面や、ストッパ６の内面（表面に露出しない位置）や案内部材Ｆに設けることもある。【００７８】
上記の盗難防止タグ４１は、顧客によるショップからの持ち出し（無断な）をショップ側に知らせるもので、例えば周知のように固有のＩＤコードをもち、ショップの出入口を通過の際、出入口に設置してある電磁界の発生により共振回路が共振して固有のＩＤコードの発信にともない高周波電磁界を変調させて、ショップからの持ち出しを検出するようになっている。【００７９】
すると、ショップからの持ち出しによる盗難を防止することができる。【００８０】
この発明の第３の実施形態では、図１４から図１６に示すように第１の実施形態の抜け止め部４のない保持部材Ａを使用する。【００８１】
抜け止め部４のない保持部材Ａを使用する要因は、保持部材ＡにブックＢを貫通させて、ブックＢの背表紙Ｃと背表紙Ｃの反対側との長さ（距離）に制約を受けないブックＢの挿入、すなわち貫通により使用することができるようにしたことにある。【００８２】
そこで、貫通させたブックＢが通り抜けないように、保持部材Ａの頂壁１、底壁２の少なくとも片方の内面にブックＢの綴じ込み紙Ｅ間に介在（食い込みにより）させる（図１５、１６に示す）抜け止め片５１を設けておく。【００８３】
すると、保持部材ＡにブックＢをセットした際、ストッパ６と抜け止め片５１とで保持部材Ａに対するブックＢの抜き取りを阻止することができる。【００８４】
勿論、抜け止め片５１は、図示の場合、頂壁１に設けたが、頂壁１にかえて底壁２に、或いは頂壁１と底壁２との両方に設けることもでき、そして、抜け止め片５１をブックＢの綴じ代Ｂ’側に近付けることで、保持部材Ａ内でのブックＢの移動（すべり移動）を少なくすることができ、また抜け止め片５１のブックＢの背表紙Ｃ方向の縁にＶ字状やＶ字状のテーパー面部５２を設けておくと、綴じ込み紙Ｅの掬いが良好になる。【００８５】
上記第３の実施形態の保持部材Ａ、案内部材Ｆ、備え部材Ｇ、錠装置Ｈ、ストッパ６、側壁３の少なくとも片方に設ける欠落部５の構成は、第１の実施形態と同様につき、解除方式及び作用効果は、第１の実施形態と同様につき説明を省略する。【００８６】
そして、第３の実施形態の案内部材Ｆ、保持部材Ａ、備え部材Ｇ、ストッパ６のいずれかには、第２の実施形態と同様の盗難防止タグ４１が設けてある。【００８７】
上記盗難防止タグ４１の設ける位置や構成及び作用効果は、第２の実施形態と同様につき説明を省略する。【００８８】
なお、保持部材Ａに挿入貫通したブックＢは、図示の場合ブックＢの上縁全長や略全長を側壁３の上縁部で抱き込み、ブックＢの下縁略途中迄（図示の場合）抱き込んで容易に捲ることができないようにして立ち読み防止に効果を発揮するようにしたが、抱き込みの範囲を適宜決定すればよい。【００８９】
なお、抜け止め片５１のない保持部材Ａにあっては、ブックＢの表裏表紙Ｄと綴じ込み紙Ｅとの間或いは綴じ込み紙Ｅ間に保持部材Ａの側壁３が介在するようにブックＢを挿入することによりブックＢの一方向のスライドをストッパ６により、ブックＢの他方向のスライド（抜ける方向）を綴じ代に側壁３の縁が当って阻止する。【００９０】
この発明の第４の実施形態では、第３の実施形態の案内部材Ｆ、保持部材Ａ、備え部材Ｇ、ストッパ６のいずれかに第２の実施形態と同様の盗難防止タグ４１が設けてある。【００９１】
上記盗難防止タグ４１の設ける位置や構成及び作用効果は、第２の実施形態と同様につき説明を省略する。【００９２】
この発明の第５の実施形態では、図１７に示すように、第１及び第３の実施形態の保持部材Ａの露出面には、取付け手段６１によってブックＢの露出した表裏表紙Ｄを側壁３に向けて押え込む伸縮性の無端体６２が取付けてある。【００９３】
上記の取付け手段６１は、図示の場合、頂壁１の後部上面に対向端が前後方向で、かつ上下に位置するフックを設けて、この上下のフック間に無端体６２の輪ゴムを通過させて取付けるようにしたが、例えば突片の孔に輪ゴムの一端側を通し、通した輪ゴムの一端部内に多端側を通して取付ける方法などで取付けることもできる。【００９４】
すると、保持部材Ａに対して第１の実施形態のような挿入、或いは第３の実施形態のように通過させたブックＢの側壁３の外側に露出した表裏表紙Ｄの片方或いは両方の外側に無端体６２を図１８に示すようにかけ渡して、側壁３に対し表裏表紙Ｄを押え込んでおく。【００９５】
この押え込みによって、捲って立ち読みをしようとすることに対し抵抗感を与え、また捲りの繰り返しによって発生する表裏表紙Ｄや綴じ込み紙Ｅの反りを修正すると共に、購入者に不快感を与えるなどの問題をなくすることができる。【００９６】
なお、ブックの背表紙が、表裏表紙に対し略直角になっている場合差しつかえないが、週刊誌のような表裏表紙がＶ字状のように折り返されて、背表紙のないブックの場合、側壁３の欠落部５とストッパ６とのすきまから引き抜かれるおそれのある場合、ストッパ６の側縁に欠落部のすきまを極力小さくする障害部を設けて、引き抜きを阻止するとよい。【００９７】
なお、ストッパ６を有する備え部材Ｇを案内部材Ｆ内に挿入することによって反りのある備え部材Ｇが直線状になって保持部材Ａに挿入或いは貫通させてあるブックＢの表面にストッパ６が臨むようにしてもよい。【００９８】
すると、ヒンジ２１が不要になる。【００９９】
また、ヒンジ２１付のストッパ６を採用すると、案内部材Ｆからヒンジ２１が脱出すると、ストッパ６を退避させることができる。【０１００】
この発明の第６の実施形態では、図１９から図２８に示すように、裏面が対抗する対の抜け止め板６５、６５の少なくとも片方の片端には、ブックＢの背表紙Ｃの表面に位置するストッパ６６が設けてある。【０１０１】
上記のストッパ６６は、図示の場合両方の抜け止め板６５のそれぞれの片端から連なって抜け止め板６５の裏面方向に突出させて設けたが、限定されず、片方の抜け止め板６５にのみ設けても目的を達成することができる。【０１０２】
また、一方の抜け止め板６５の裏面には、裏面の反対方向に突出する挿入板６７が、他方の抜け止め板６５の裏面には、裏面の反対方向に突出すると共に、挿入板６７の挿入をガイドするガイド筒６８が設けてある。【０１０３】
上記のガイド筒６８は、図１９、２３、２４に示すように帯状板６９と、この帯状板６９の両側縁から連なって挿入板６７の両側縁をスライド自在に抱き込む（例えばコ字状や蟻溝状などの）抱き込み部７０とで構成したが、限定されず、例えば扁平な角筒などで、挿入板６７の挿入をガイドするものであればよい。【０１０４】
さらに、挿入板６７とガイド筒６８との挿入状況下での対向面一方には、挿入スライドにともない押し戻される係止爪７１が、他方には、挿入板６７のスライドにともない段階的に係止爪７１を係止する多段の係合部７２が設けてある。【０１０５】
上記の係止爪７１は、挿入板６７に、係合部７２はガイド筒６８に（図示の場合）設けたが、逆に設けることもでき、係止爪７１は左右に二個、係合部７２は左右に二列設けたが、限定されない。【０１０６】
そして、係止爪７１は、図示の場合、挿入板６７の成形（合成樹脂による）の際、コ字状のスリット７３を入れて、このスリット７３の内側を挿入板６７の片面方向に復帰力が作用するように押し出して設けたが、別部品を固定して設けることもでき、係合部７２は、図示の場合帯状板６９に貫孔を設けて形成したが、貫孔にかえて係止爪７１の自由端縁（先端）が嵌り込んで係止する凹部（図２８に示すように鋸歯状の凹凸でも可）であってもよい。【０１０７】
勿論、左右の二列の係合部７２を、片側列のピッチと、もう片側のピッチとを半ピッチずらして配置することで、伸縮スライドの停止ピッチを小さくすることができる。【０１０８】
また、図１９に示すように挿入板６７及びガイド筒６８の挿入（ブックＢの例えば綴じ込み紙Ｅ間への）先行端をＶ字状や尖端を切断したＶ字状にし、かつ先端縁の片面、両面に角落ちの面取り部７４を設けておくと、ガイド筒６８に対する挿入板６７の挿入をガイドしながらスムーズな挿入をはかり、かつ綴じ込み紙Ｅを損傷することがない。【０１０９】
そして、図１９、２３、２４に示すように挿入板６７及びガイド筒６８の両側縁に角落ちの面取り部７４を設けておくと、綴じ込み紙Ｅに損傷のない横滑り移動がスムーズになる。【０１１０】
また、抜け止め板６５の裏面、ストッパ６６の裏面、挿入板６７、ガイド筒６８の裏面などのいずれかには、盗難防止タグ４１が設けてある。【０１１１】
上記の盗難防止タグ４１は、図示の場合ガイド筒６８に設けたが、限定されない。【０１１２】
上記の盗難防止タグ４１は、第２の実施形態と同様につき構成及び作用、効果の説明を省略する。【０１１３】
上記のように構成すると、まずブックＢの綴じ込み紙Ｅ間にガイド筒６８を押し込む。【０１１４】
上記の押し込みは、ブックＢの背表紙Ｃに対し直角な二面の片方の面から行い、そして抜け止め板６５をブックＢの片方の面に外接する。【０１１５】
その際、外接した抜け止め板６５のストッパ６６をブックＢの背表紙Ｃの表面に位置させる。【０１１６】
次に、ブックＢのもう片方の面から前もって押し込んであるガイド筒６８に向け挿入板６７を挿入する。【０１１７】
挿入板６７の挿入は、先に押し込んだガイド筒６８によって綴じ込み紙Ｅの介在ガイド筒６８で押し広げられており、この押し広げ空間に向け挿入板６７を挿入するので、挿入の見当が容易で、スムーズにできる。【０１１８】
そしてブックＢの辺の面に挿入板６７側の抜け止め板６５を外接すると共に、ブックＢの背表紙Ｃの表面にストッパ６６を位置させる。【０１１９】
上記挿入板６７の挿入にともない帯状板６９の係合部７２の内面に係止爪７１の先端縁が当接した状況下にあっては、係止爪７１を押し戻し、抜け止め板６５の外接（外接しない接近のときもある）にともなう挿入板６７の挿入続行ができなくなり、係合部７２に係止爪７１が合致することで、復元力の作用する係止爪７１と係合部７２とが係合関係になって、ブックＢへのセットが完了する。【０１２０】
すると、ブックＢの抜き取りをストッパ６６と綴じ込み紙Ｅ間に介在状態となるガイド筒６８や挿入板６７によって阻止する。すなわち、ストッパ６６に対し背表紙Ｃが離反するようにブックＢをスライドさせると、ブックＢの綴じ代側にガイド筒６８や挿入板６７の側縁が当接して抜け止めになる。【０１２１】
なお、ブックＢに対するセット後にブックＢの全体を熱収縮フィルムで包装して、立ち読みを防止することができ、かりに前もって熱収縮フィルムでブックを包装してあっても、ガイド筒６８や挿入板６７の押し込みにともない面取り部７４でフィルムを突き破り或いは挿入位置のフィルムにカッターなどで切り目を入れて、切り目から押し込みや挿入する。【０１２２】
また、上記以外のセット方式として、ガイド筒６８に挿入板６７の先を挿入して、ガイド筒６８と挿入板６７とをブックＢの綴じ込み紙Ｅ間に（背表紙Ｃの対向する面から）挿入する。【０１２３】
このとき、ストッパ６６とブックＢとの衝突を回避する。【０１２４】
挿入後に、ガイド筒６８に挿入板６７を挿入して、ブックＢの背表紙Ｃに対し直角な二辺に抜け止め板６５を当接すると共に、背表紙Ｃの表面にストッパ６６を位置させる。【０１２５】
すると、ブックＢに対するセットずみ挿入板６７及びガイド筒６８は、係止関係にある係止爪７１と係合部７２とで分解ができず、ブックＢに対する抜き取り方向のスライドも、ストッパ６６と、綴じ込み紙Ｅ間に介在状態となったガイド筒６８、挿入板６７とで阻止される。【０１２６】
勿論、ショップからの持ち出しを盗難防止タグ４１により検出する。【０１２７】
また、図２９に示すように、ブックＢの表裏表紙Ｄの片方の外側に係止爪７１と係合部７２との係止関係になる挿入板６７とガイド筒６８を位置させて、背表紙Ｃの表面にストッパ６６を位置させる。【０１２８】
このとき、ガイド筒６８側や挿入板６７側に設けてある食い込み片７５を綴じ込み紙Ｅ間に食い込ませて、セットしたガイド筒６８及び挿入板６７のブックＢに対する離脱を阻止する。【０１２９】
すなわち、抜け止め板６５、６５及び挿入状態にある挿入板６７、ガイド筒６８の一方向のスライドは、ブックＢの背表紙Ｃに当接するストッパ６６により、他方のスライドは、綴じ込み紙Ｅの綴じ代Ｂ’に食い込む（当接する）食い込み片７５によってそれぞれ阻止する。【０１３０】
すると、ブックＢに対する取り外しができないセットができ、ショップからの持ち出しを、盗難防止タグ４１によって検出する。【０１３１】
上記の食い込み片７５は、図２９に示すように、抜け止め板６５の裏面のストッパ６６に近い側（近い側にする理由は、セット時のブックＢに対する移動量を小さくするため）に設けたが、限定されず、図２８に示すように挿入板６７のストッパ６６側の側縁（抜け止め板６５の裏面に近い）に設けてもよい。【０１３２】
なお、食い込み片７５に面取り部７４を設けて、綴じ込み紙Ｅ間への食い込みをスムーズにし、かつ綴じ込み紙Ｅの損傷をなくする。【０１３３】
上記ガイド筒６８及び挿入板６７の取り外しは、図２５、２６に示すようにショップ側の磁石７６によって係止爪７１に固着してある鉄片７７を磁吸して、係止爪７１と係合部７２との係合関係を解除して、挿入板６７を抜き取るか、或いは図２７に示すように、抜け止め板６５の切欠きや貫窓の挿入部７８から解除帯板７９を挿入して、解除帯板７９を挿入板６７と帯状板６９との間隙に押し込んで、図２７に示すように解除帯板７９の先端により係止爪７１を押し逃がして、係止爪７１と係合部７２との係合関係を解除したのち、挿入板６７を引き抜く。【０１３４】
取り外した挿入板６７及びガイド筒６８は、ショップ側に回収し、再使用する。【０１３５】
図中８０は、解除帯板７９の挿入ガイド片である。【０１３６】
この発明の第７の実施形態では、図３０から図３３に示すように抜け止め板６５の少なくとも片方の側縁にブックＢの抱き込み片８１を設けておく。【０１３７】
上記の抱き込み片８１は、上下の抜け止め板６５のそれぞれの両側縁に連なって設け、図３１に示すようにブックＢの両表裏表紙Ｄ、Ｄを抱き込む場合と、図３２に示すようにブックＢが厚いと、両抱き込み片８１によって綴じ込み紙Ｅを抱き込む場合と、図３３に示すように、片方の抱き込み片８１と片方の表裏表紙Ｄの外側に位置させた挿入板６７及びガイド筒６８とでブックＢを抱き込む場合とがある。【０１３８】
上記の抱き込み片８１は、図３０に示すように全長の短い抜け止め板６５、６５の側縁に設けたが、限定されず、例えば、図４１、４２に示すように、抜け止め板６５のストッパ６６側端とストッパ６６のない反対側端間の長さをブックＢの背表紙Ｃと背表紙Ｃの反対側面（縁）との距離に等しい長さ或いは若干短い長さにして、抜け止め板６５のストッパ６６の反対側に抱き込み片８１を設けて、ブックＢの背表紙Ｃの反対側の捲りを阻止する。【０１３９】
すると、綴じ込み紙Ｅの捲りが阻止されて立ち読みができなくなり、立ち読み阻止のため読みたいという意欲のため購買欲を高める。【０１４０】
なお、抱き込み片８１の幅や突出長さは、捲りを阻止するように適宜決定すればよい。【０１４１】
当然、無理矢理捲ると、抱き込み片８１に引っかかって綴じ込み紙Ｅが破損し、この破損によって捲りをちゅうちょさせることになる。【０１４２】
すると、陳列時のブックＢの立ち読みを防止すると共に、立ち読み防止のため読みたいという意欲のため購買欲を高め、さらに一部分の捲りにともなう他の部分の捲り防止でなお一層上記の効果が高まる。【０１４３】
なお、ブックＢをフィルムＳで包装してあると、面取り部７４によりフィルムＳを突き破って抱き込み片８１を図３２に示すように差し込むとよい（勿論、挿入板６７及びガイド筒６８も面取り部７４でフィルムＳを突き破り、或いはフィルムＳに入れたスリットから突き刺すこともできるが、表裏表紙Ｄの外側に挿入板６７、ガイド筒６８を配置すると、フィルムＳを突き刺す必要がない) 。【０１４４】
この発明の第８の実施形態では、図３４から図３８に示すように、抜け止め板９１及び抜け止め板９２の少なくとも片方の側縁には、抜け止め板９１及び抜け止め板９２の裏面の反対方向に突出する挿入板６７、ガイド筒６８が設けてあり、挿入板６７とガイド筒６８との対向面には、係止爪７１と係合部７２とが設けてある。【０１４５】
上記の挿入板６７、ガイド筒６８及び係止爪７１、係合部７２は、第６の実施形態と同様につき説明を省略し、作用効果も同様につき説明を省略する。【０１４６】
また、抜け止め板９１及び抜け止め板９２の片端には、第６の実施形態と同様のストッパ６６が設けてあり、そして第６の実施形態と同様の食い込み片７５が設けてある。【０１４７】
上記のストッパ６６及び食い込み片７５の構成、作用効果は、第６の実施形態と同様につき説明を省略する。【０１４８】
そして、挿入板６７側、ガイド筒６８のいずれか片方には、盗難防止タグ４１（図示省略) が設けてある。【０１４９】
上記の盗難防止タグ４１の構成及び作用効果は、第２の実施形態と同様につき説明を省略する。【０１５０】
なお、図示の場合、抜け止め板９１、抜け止め板９２の両側縁にそれぞれ挿入板６７、ガイド筒６８を設けたが、限定されず、片方の側縁のみに設けてもよい。【０１５１】
そして、係止爪７１及び係合部７２は、第６、７、８の実施形態の場合、対向する板面に設けたが、限定されず、その他の対向する面（縁）に設けてもよい。【０１５２】
上記のように構成すると、ガイド筒６８に挿入板６７を挿入して、角筒状に組み立て、ブックＢの背表紙Ｃの表面にストッパ６６を位置させると共に、綴じ込み紙Ｅに食い込み片７５を介在させて、ブックＢにセットした際の取り外しを阻止する。【０１５３】
便用例も、図３６に示すように、綴じ込み紙Ｅ間に挿入板６７とガイド筒６８を介在したり、図３７に示すように表裏表紙Ｄの片方外側に挿入板６７とガイド筒６８を位置させ、綴じ込み紙Ｅ間に挿入板６７とガイド筒６８を介在したりして、ブックＢの厚みに制約を受けないセットや、図３８に示すように両表裏表紙Ｄの外側に挿入板６７とガイド筒６８を位置させたセットができる。【０１５４】
勿論、ガイド筒６８と挿入板６７との伸縮調整によって、ブックＢの丈の寸法に制約を受けずにセットすることもできる。【０１５５】
なお、係止爪７１と係合部７２と係合関係の解除は、第６の実施形態と同様につき説明を省略する。【０１５６】
勿論、販売に際し、係止爪７１と係合部７２の係合関係を解除して、ショップ側に回収した挿入板６７、ガイド筒６８を有する抜け止め板９１、抜け止め板９２は、再使用する。【０１５７】
この発明の第９の実施形態では、図３９、４０に示すように、抜け止め板６５，９１，９２に取付け手段６１を介し伸縮性の無端体６２を設けておく。【０１５８】
すると、第５の実施形態と同様の効果を発揮する。【０１５９】
使用方法は、第５の実施形態と同様につき、取付け手段６１も第５の実施形態と同様につき省略する。【０１６０】
なお、ブックＢを広げて、ブックＢをストッパ６６の一側方向に抜き取ろうとしても、抜き取られないようにストッバ６６の長さ、幅、そして挿入板６７、ガイド筒６８の側縁からの距離を決定すればよい。また、ブックＢの背表紙Ｃと背表紙Ｃの反対側間の略中間にガイド筒６８と挿入板６７を位置させることで、ブックＢを積み重ねた際の荷崩れを防止する。【０１６１】
なお、第６、７の実施形態のブックＢの捲り防止の抱き込み片８１を抜け止め板６５の裏面から突出させたが、限定されず、例えば図４１、４２に示すように、抜け止め板６５の裏面に重ねて抜け止め板６５に外れないようにドッキングする板状体２０１の側縁に抱き込み片８１を設けて、この抱き込み片８１によって図４２に示すように、片方の表裏表紙Ｄを抱き込んで（もう片方の表裏表紙Ｄを抱き込んでいる）、或いは綴じ込み紙Ｅを抱き込んで立ち読み防止の捲りを阻止するようにする。【０１６２】
上記の抱き込み片８１を有する板状体２０１は、図示の場合片方の抜け止め板６５側に設け、もう片方の抜け止め板６５に一体に抱き込み片８１を設けたが、（この一体の抱き込み片８１は、ストッパ６６の反対側の側縁にあり、捲りを防止するように突出長さを適宜決定して）限定されず、両方の抜け止め板６５に配置することもある。【０１６３】
そして、抜け止め板６５に対する板状体２０１のドッキングも、図示の場合、板状体２０１の両端部の貫孔２０２に抜け止め板６５に設けてある食い込み片７５と抱き込み片８１を貫通させて（貫孔２０２は、板状体２０１の幅方向に大きくしてあり、ブックＢの抱き込み厚みに応じて抜け止め板６５に対し板状体２０１を幅方向にスライドさせて調整できるようにしてある）ドッキングさせたが、限定されず、例えば突起と孔、穴を嵌め込んで（図示省略）ドッキングしてもよい。【０１６４】
また、捲り防止を上述の方式に変えて、図４３、４４に示すように抜け止め板６５の裏面に重ねて食い込み片７５と抱き込み片８１とでスライドを阻止した板状体２０３の両側縁の抱き込み片２０４により綴じ込み紙Ｅや表裏表紙Ｄを抱き込んで（図４５に示すように) 、立ち読み防止の捲りを阻止してもよい。【０１６５】
勿論、板状体２０３のスライド阻止を、抜け止め板６５と板状体２０３の重なり面の例えば突起と穴、孔を嵌め込んで（図示省略）行うこともできる。【０１６６】
なお、抱き込み片８１の突出方向の尖縁にテーパー面部２０４を設けておくと、スムーズに突き刺すことができる。【０１６７】
さらに、図４６、４７に示すように抱き込み片８１をガイド筒６８及び挿入板６７の側縁及び抜け止め板６５の裏面から連ねて設けることもあり、背表紙Ｃにガイド筒６８の側縁を近づけてブックＢの抜けるのを阻止してもよい。【０１６８】
また、図４８、４９に示すように、食い込み片７５を抜け止め板６５の一端ストッパ６６に近い端部に、抱き込み片８１を抜け止め板６５の他端で、抜け止め板６５の他端側縁に近い部分（抱き込むための）に設けておく。【０１６９】
さらに、ストッパ６６は、図示の場合抜け止め板６５の端縁から連ねて一体に設けたが、限定されず、別部品のストッパ６６を抜け止め板６５にドッキングしてもよい。例えば、図５０に示す筒状のストッパ６６に抜け止め板６５の端縁から連なって抜け止め板６５の裏面方向に突出する突片２１１を嵌入してドッキングすると共に、ストッパ６６背面上縁から突出する突出片２１２を抜け止め板６５の裏面端部に重ねて安定させる。【０１７０】
その際、突出片２１２の突出方向端縁から内方に向く切り欠き２１３に食い込み片７５を嵌入する。【０１７１】
なお、図５０に示すように突出片２１２の裏面に食い込み片７５を設けておくと、抜け止め板６５に食い込み片７５を設ける必要がない。【０１７２】
勿論、抜け止め板６５と突出片２１２の両方に食い込み片７５が設けてあっても差しつかえがない。【０１７３】
そして、図５２、５３に示すように筒状のストッパ６０の両側縁から抜け止め板６５の也端方向に抱き込み部２１４を設けておくと、ブックＢの背表紙Ｃ部分を抱き込むことができる。【０１７４】
その際、抱き込み部２１４の筒状のストッパ６６側の縁に図５４に示すように欠除部２１５を設けておくと、図５５、５６に示すようにブックＢの表裏表紙Ｄのみ或いは表裏表紙Ｄと綴じ込み紙Ｅの一部を通過させて、綴じ込み紙Ｅを抱き込むことができる。【０１７５】
この抱き込みによって、ブックＢの厚みが厚くてもセットすることができる。【０１７６】
また、ストッパ６６のドッキングは、上述の方式に限定されず、例えば図５７、５８に示すように、抜け止め板６５の一端に扁平な筒部２１６にストッパ６６から連なる突片２１７を嵌入し、突片２１７の弾片２１８を筒部２１６の凹入部２１９の端縁に係止して、図５８に示すように抜け止め板６５にストッパ６６を取り付けるようにしてもよい。【０１７７】
なお、弾片２１８は挿入薄板（図示せず）を筒部２１６に押し込んで、薄板の端縁で弾片２１８を押し逃がして、弾片２１８と凹入部２１９との係合関係を解除して引き抜けるようになっている。【０１７８】
図中２２０は弾片２１８を形成する切り込みである。【０１７９】
さらに、図５９から図６１に示すようにストッパ６６の背表紙Ｃと接触（当接による）する面に弧状やＶ字状の凹部２２６を設けておくと、抱き込み部２１４によりブックＢの背表紙Ｃを抱きこんだ状況下での背表紙Ｃが弧状又はＶ字状になっている雑誌であっても、背表紙Ｃの弧状やＶ字状部を無理矢理外方に引っ張って引き抜こうとしても、引き抜きができなくなる。【０１８０】
また、第６、７の実施形態のブックの立ち読み防止の他の使用例として、図６２から図６４に示すように捲り阻止方式の抱き込みを、抜け止め板６５の裏面に板状体２０１をドッキングさせて、挿入板６７及びガイド筒６８の反対側に板状体２０１の片方の辺縁側の抱き込み片８１を位置させる。【０１８１】
上記抜け止め板６５に対する板状体２０１のドッキングは、図４１、４２の方式と同様に、板状体２０１に設けてあるそれぞれの貫孔２０２に抜け止め板６５の食い込み片７５と抱き込み片８１を貫通させて（なお、貫孔２０２は、板状体２０１の幅方向に大きくしにあって、抜け止め板６５の幅方向に板状体２０１をスライド可能にし、この可能によりブックＢの厚みが大きくても対応できるようにしてある）ドッキングしたが、限定されず、例えば抜け止め板６５と板状体２０１に設けてある孔（穴）と突起とを嵌め込んでドッキングしてもよい。【０１８２】
そして、ブックＢの抱き込みを、図６３、６４に示すように、板状体２０１を有する抱き込み片８１によってブックＢの図６３の上辺側で片方の表裏表紙Ｄを除く（所要枚数の綴じ込み紙Ｅを抱き込み、下位抜け止め板６５に設けてある抱き込み片８１によって例えば図６５に示すように板状体２０１を有する抱き込み片８１からいくらかの枚数をへてもう片方の表裏表紙Ｄ迄の綴じ込み紙Ｅを抱き込んでおく。【０１８３】
すると、陳列状況下でのブックＢは、図６４に示すように片方の表裏表紙Ｄと板状体２０１を有する抱き込み片８１迄の少ない枚数の綴じ込み紙Ｅ（例えば、目次などの綴じ込み紙Ｅを）を捲ることができ、その後の綴じ込み紙Ｅの捲りは、図６５に示すように板状体２０１を有する抱き込み片８１によって抱き込まれていない次の綴じ込み紙Ｅから抜け止め板６５の抱き込み片８１によって抱き込まれていない綴じ込み紙Ｅまで、しかも捲り具合も、板状体２０１側の抱き込み片８１によって綴じ込み紙Ｅの一部分の反転になる。【０１８４】
この一部分の反転により立ち読みができず、読みたいという意欲で購買力が向上する特有な効果がある。【０１８５】
上記綴じ込み紙Ｅの一部反転の状態に止めおくための板状体２０１を有する抱き込み片８１の形状は、ブックＢの背表紙Ｃの反対側辺の上縁（板状体２０１側から下方に向け背表紙Ｃ）側に傾斜させて、捲り反転度合いを規制するようにしたが、形状も上述に限定されず、例えば長方形など上記目的を達成する形状など適宜決定すればよい。【０１８６】
その際、板状体２０１を有する抱き込み片８１の背表紙Ｃの反対側縁の板状体２０１の側縁のコーナーに弧状の欠落部２４１を設けておくと（図６４に示すように）、捲って反転した綴じ込み紙Ｅが欠落部２４１によって破損するのを防止する。【０１８７】
なお、図示の場合板状体２０１を有する反転案内の抱き込み片８１を片方の抜け止め板６５に配置したが、限定されず、両方の抜け止め板６５に配置してもよい。【０１８８】
また、抜け止め板６５側の抱き込み片８１は、前述のように突出長さや、幅を、捲り防止になるように適宜決定する。【０１８９】
さらに、前述の一部の捲りを許容した（図６２から図６５に示す）使用例の抜け止め板６５と抱き込み片８１を有する板状体２０１のドッキング（貫孔２０２に抜け止め板６５の抱き込み片８１と食い込み片７５を貫通させる方式）を、上述の貫孔２０２と抱き込み片８１及び食い込み片７５にかえて、例えば、重なり合う板状体２０１と抜け止め板６５との対向面一方の孔２５１と他方の突起２５２（図示）とを嵌め込んでドッキングさせるようにしてあり、数も図示のように複数設けて安定させるようにしたが、限定されない。そして孔２５１を図示のように板状体２０１の幅方向に長い長孔として、ブックＢの厚みに応じて抱き込み片８１の位置を移動させるようにしてある。【０１９０】
すると、板状体２０１抱き込み片８１の背表紙Ｃに近づく平行する辺縁がブックＢのストッパ６６の反対方向の移動を図４９参照綴じ込み紙Ｅの綴じ代Ｂ’に当ってブックＢの抜き取りを防止するので、板状体２０１をドッキングする抜け止め板６５には、図６２に示す抱き込み片８１や食い込み片７５が不要になる。【０１９１】
なお、図６７に示す場合、抱き込み片８１を有する板状体２０１を片方の抜け止め板６５に配置したが、両方の抜け止め板６５に板状体２０１を配置することも可能であり、この場合、抜け止め板６５の抱き込み片８１と食い込み片７５が不要になる。
【図１】
0004705114.tif 000002
【図２】
0004705114.tif 000003
【図３】
0004705114.tif 000004
【図４】
0004705114.tif 000005
【図５】
0004705114.tif 000006
【図６】
0004705114.tif 000007
【図７】
0004705114.tif 000008
【図８】
0004705114.tif 000009
【図９】
0004705114.tif 000010
【図１０】
0004705114.tif 000011
【図１１】
0004705114.tif 000012
【図１２】
0004705114.tif 000013
【図１３】
0004705114.tif 000014
【図１４】
0004705114.tif 000015
【図１５】
0004705114.tif 000016
【図１６】
0004705114.tif 000017
【図１７】
0004705114.tif 000018
【図１８】
0004705114.tif 000019
【図１９】
0004705114.tif 000020
【図２０】
0004705114.tif 000021
【図２１】
0004705114.tif 000022
【図２２】
0004705114.tif 000023
【図２３】
0004705114.tif 000024
【図２４】
0004705114.tif 000025
【図２５】
0004705114.tif 000026
【図２６】
0004705114.tif 000027
【図２７】
0004705114.tif 000028
【図２８】
0004705114.tif 000029
【図２９】
0004705114.tif 000030
【図３０】
0004705114.tif 000031
【図３１】
0004705114.tif 000032
【図３２】
0004705114.tif 000033
【図３３】
0004705114.tif 000034
【図３４】
0004705114.tif 000035
【図３５】
0004705114.tif 000036
【図３６】
0004705114.tif 000037
【図３７】
0004705114.tif 000038
【図３８】
0004705114.tif 000039
【図３９】
0004705114.tif 000040
【図４０】
0004705114.tif 000041
【図４１】
0004705114.tif 000042
【図４２】
0004705114.tif 000043
【図４３】
0004705114.tif 000044
【図４４】
0004705114.tif 000045
【図４５】
0004705114.tif 000046
【図４６】
0004705114.tif 000047
【図４７】
0004705114.tif 000048
【図４８】
0004705114.tif 000049
【図４９】
0004705114.tif 000050
【図５０】
0004705114.tif 000051
【図５１】
0004705114.tif 000052
【図５２】
0004705114.tif 000053
【図５３】
0004705114.tif 000054
【図５４】
0004705114.tif 000055
【図５５】
0004705114.tif 000056
【図５６】
0004705114.tif 000057
【図５７】
0004705114.tif 000058
【図５８】
0004705114.tif 000059
【図５９】
0004705114.tif 000060
【図６０】
0004705114.tif 000061
【図６１】
0004705114.tif 000062
【図６２】
0004705114.tif 000063
【図６３】
0004705114.tif 000064
【図６４】
0004705114.tif 000065
【図６５】
0004705114.tif 000066
【図６６】
0004705114.tif 000067
【図６７】
0004705114.tif 000068
【図６８】
0004705114.tif 000069
【図６９】
0004705114.tif 000070